(57)【要約】  取り付け作業を容易に行うことができると共に、耐久性に優れた素材を採用しても低コストで製造可能なシートカバーを提供する。本発明のシートカバー（１）は、クッションカバー部（１０）と、バックカバー部（２０）とを有する一方、バックカバー部（２０）の上部（２２）の位置が、骨盤上部対応部から胸部中央対応部までの範囲であり、従来のヘッドレストの下部付近まで被覆するシートカバーと比較して、シートバック部における被覆範囲の高さが低い。このため、バックカバー部（２０）を形成するために使用する素材量を従来と比較して低減することができ、摩擦に対する耐久性の高いより高価な素材を使用しても、コストの上昇を抑制できる。例えば、摩擦に対して高い耐久性を発揮できる三次元立体編物を用いても、低コストで製造でき、乗降頻度の高い宅配車のシート用として適している。
2020031982.tif 000002
【特許請求の範囲】
【請求項１】
シートのシートクッション部を被覆するクッションカバー部と、前記シートのシートバック部を被覆するバックカバー部とを有するシートカバーであって、  前記クッションカバー部の後部と前記バックカバー部の下部とが、前記シートクッション部と前記シートバック部の境界部付近に配設される帯状弾性部材を有する取り付け手段を介して接続され、  前記シートクッション部及び前記シートバック部に取り付けられた状態において、前記クッションカバー部の後部及び前記バックカバー部の下部が、前記クッションカバー部の前部寄り及び前記バックカバー部の上部寄りの各部位より、相対的に剛性が低くなっており、  前記帯状弾性部材が、前記バックカバー部の下部と前記クッションカバー部の後部の位置ずれを復元する機能と、外部から入力される振動を吸収する機能とを発揮可能であることを特徴とするシートカバー。
【請求項２】
前記取り付け手段は、前記帯状弾性部材に加え、  前記バックカバー部の裏面に固定される第１支持プレートと、  前記バックカバー部及び前記第１支持プレートのいずれか少なくとも一方の下部に一端部が接合され、前記クッションカバー部の後部に他端部が接合された第２支持プレートとを有し、  前記帯状弾性部材は、前記バックカバー部及び前記第１支持プレートのいずれか少なくとも一方と前記第２支持プレートの他端部とを結び、前記第１支持プレートの上部及び前記第２支持プレートの他端部とを接近方向に付勢し、  前記第２支持プレートは、前記帯状弾性部材の弾性力に抗して、前記他端部が前記第１支持プレートの上部から離間するように拡げられ、取り付け対象の前記シートクッション部と前記シートバック部との境界の間隙に、前記他端部から、前記帯状弾性部材及び前記クッションカバー部の後部と共に挿入され、前記帯状弾性部材の弾性により、前記第１支持プレートが前記シートバック部の前面方向に押し付けられ、前記第２支持プレートが前記シートバック部の下面方向に押し付けられる請求項１記載のシートカバー。
【請求項３】
前記クッションカバー部は、前部が、前記シートクッション部の前面部の少なくとも一部を覆って配設される請求項１又は２記載のシートカバー。
【請求項４】
前記バックカバー部は、その上部の位置が、骨盤上部対応部から胸部中央対応部までの範囲となる大きさで形成されている請求項１〜３のいずれか１に記載のシートカバー。
【請求項５】
前記第１支持プレートの幅が、前記シートバック部の両側において前方に膨出する２つのサイドサポート間の範囲内である請求項２〜４のいずれか１に記載のシートカバー。
【請求項６】
前記第１支持プレート及び前記第２支持プレートが合成樹脂製の板状部材である請求項２〜５のいずれか１に記載のシートカバー。
【請求項７】
前記取り付け手段は、前記クッションカバー部に連結され、前記シートクッション部又は前記シートバック部に掛け回され、前記シートクッション部とシートバック部との境界の間隙に挿入される前記第２支持プレートに接続される前記クッションカバー部用の補助固定部材を有する請求項２〜６のいずれか１に記載のシートカバー。
【請求項８】
前記取り付け手段は、前記バックカバー部に連結され、前記シートバック部の裏面側に掛け回される前記バックカバー部用の補助固定部材を有する請求項２〜７のいずれか１に記載のシートカバー。
【請求項９】
少なくとも前記バックカバー部が三次元立体編物から構成されている請求項１〜８のいずれか１に記載のシートカバー。
【発明の詳細な説明】
【技術分野】
【０００１】  本発明は、乗物のシートを被覆するシートカバーに関する。
【背景技術】
【０００２】  自動車等の乗物のシートの表面をカバーするシートカバーとしては、例えば、特許文献１，２に示したようなものが知られている。特許文献１では、シートバック部及びシートクッション部の全体を被覆するタイプのカバーであり、部分的に設けられた開口部の周縁に伸縮性のあるゴム等の芯材を取り付けて、シートに固定される。特許文献２では、シートバック部用のカバー、シートクッション部用のカバーを別々に形成し、それぞれの裏面に面ファスナー等の係着部材を取り付け、この係着部材により各カバーをシート表面の表皮に固定している。また、特許文献３では、三次元立体編物を用い、シートクッション部上に載置して使用されるシート用クッションが開示されている。なお、三次元立体編物は、特許文献４に示されているように、車両用シートにおいてベースクッション、表皮等として採用されている素材である。
【先行技術文献】
【特許文献】
【０００３】
【特許文献１】特開２０１８−５２２５６号公報
【特許文献２】特開２０１６−９７７７３号公報
【特許文献３】特開２００６−２０４８８４号公報
【特許文献４】特開２００７−１２６０５１号公報
【発明の概要】
【発明が解決しようとする課題】
【０００４】  しかしながら、特許文献１に開示のものは、シートバック部及びシートクッション部の全体を被覆するように取り付けなければならず、取り付け作業に時間がかかり面倒である。特許文献２に開示のものは、シートバック部用とシートクッション部用とに分割されており、それぞれ別々に取り付ける必要があるため、取り付け作業が煩雑化し、作業時間の短縮化もそれほど期待できない。また、特許文献３に開示のシート用クッションは、三次元立体編物を用いているため、薄型で快適なクッション特性を提供できる。しかし、座り心地、振動吸収特性の向上等を主目的とした設計になっているため、特許文献１、２に開示のシートカバーと比較して、シートにそれほどしっかりと固定されるものではない。【０００５】  ところで、宅配用の車両（宅配車）は、比較的短い走行距離で停車して作業員が乗り降りし、その間に荷物を届けることを繰り返す。すなわち、ドライバーその他の乗員（作業員）の乗降頻度が非常に多いため、摩擦により、シートの表皮が破れたり、さらには、表皮が破れたまま使用を続けることによりクッション材に損傷を来したりすることが多い。特に、宅配車で用いられるトラックのシートの表皮は、コストの点から、合成樹脂製で比較的薄手のものが多く、一般の乗用車で使用されているものと比較してそもそもの耐久性の点で劣っており、上記のような表皮の破れやクッション材の損傷は比較的早期に訪れる。従来、シートのダメージがある程度進行している場合、車検時において交換することで対処しているケースが多いが、宅配業者の宅配車の保有台数によっては相当なコストとなる。【０００６】  このような事態を考慮し、シート自体へのダメージを和らげるために、特許文献１、２に示されているシートカバーを用いることも考えられる。しかし、特許文献１、２に開示のシートカバーは、いずれもシートバック部及びシートクッション部を含んだシート全体を被覆するものであり、装着作業が面倒である。また、シートカバー自体の耐久性が高くなくては、シートカバーを取り付けた意味があまりないが、耐久性の高い素材でシート全体を被覆する構成とすることはコストが高くつく。【０００７】  一方、特許文献３のシート用クッションは、三次元立体編物を用いているため、その剛性ないしはグランド編地や連結糸の復元力の作用が相俟って、摩擦に対する耐久性が高く、シートの保護機能も非常に高い。しかし、このシート用クッションは、上記のように振動吸収特性の向上等を主目的とした設計であるため、シートバック部においては、シートクッション部との境界位置からヘッドレストの下端付近に至る範囲を覆っていると共に、シートクッション部においても、シートバック部との境界付近から前縁付近までの大きさを有しており、このままシートの保護用カバーとして用いるのではコスト的に見合わない。また、宅配車のように乗降頻度の高い用途の車両に用いることは想定されておらず、シートへの固定は帯状の部材をシートに掛け回すだけである。そのため、乗降頻度の高い宅配車のシートに用いるには、体動への追従性や位置ずれ等の点で課題がある。【０００８】  本発明は上記に鑑みなされたものであり、体動への追従性及び位置ずれに対する��元性に優れ、しかも、取り付け作業を容易に行うことができると共に、耐久性に優れた素材を採用しても低コストで製造可能なシートカバーを提供することを課題とする。
【課題を解決するための手段】
【０００９】  上記課題を解決するため、本発明者は、宅配便のシートの破損状況を観察、研究したところ、ドライバー（作業員）が携行する業務用携帯情報端末（ハンディーターミナル）は、ズボンのベルトに取り付けられ、腰の横付近から尻ポケット付近の範囲に位置させていることが多く、シートに着座した際には、ハンディーターミナルが、シートバック部のうち、骨盤上部付近に対応する部位に接触し、当該部位に損傷が集中していることがわかった。また、シートクッション部では、乗降時に接触する側部付近と、運転時に膝裏付近が接触する前縁付近とに集中していることがわかった。従って、シートカバーとしては、特に、シートクッション部とシートバック部の境界部付近における体動追従性、位置ずれに対する復元性を高めた構成とすることで、シートの破損を抑制し、快適な座り心地に貢献でき、シートカバーの有する振動吸収特性も適切に機能させることができると考えた。また、シートカバーで被覆する範囲をこれらの点に鑑みた範囲とすることで耐久性に優れた素材を用いても低コストで製造できると考え、本発明を完成するに至った。【００１０】  すなわち、本発明のシートカバーは、  シートのシートクッション部を被覆するクッションカバー部と、前記シートのシートバック部を被覆するバックカバー部とを有するシートカバーであって、  前記クッションカバー部の後部と前記バックカバー部の下部とが、前記シートクッション部と前記シートバック部の境界部付近に配設される帯状弾性部材を有する取り付け手段を介して接続され、  前記シートクッション部及び前記シートバック部に取り付けられた状態において、前記クッションカバー部の後部及び前記バックカバー部の下部が、前記クッションカバー部の前部寄り及び前記バックカバー部の上部寄りの各部位より、相対的に剛性が低くなっており、  前記帯状弾性部材が、前記バックカバー部の下部と前記クッションカバー部の後部の位置ずれを復元する機能と、外部から入力される振動を吸収する機能とを発揮可能であることを特徴とする。【００１１】  前記取り付け手段は、前記帯状弾性部材に加え、  前記バックカバー部の裏面に固定される第１支持プレートと、  前記バックカバー部及び前記第１支持プレートのいずれか少なくとも一方の下部に一端部が接合され、前記クッションカバー部の後部に他端部が接合された第２支持プレートとを有し、  前記帯状弾性部材は、前記バックカバー部及び前記第１支持プレートのいずれか少なくとも一方と前記第２支持プレートの他端部とを結び、前記第１支持プレートの上部及び前記第２支持プレートの他端部とを接近方向に付勢し、  前記第２支持プレートは、前記帯状弾性部材の弾性力に抗して、前記他端部が前記第１支持プレートの上部から離間するように拡げられ、取り付け対象の前記シートクッション部と前記シートバック部との境界の間隙に、前記他端部から、前記帯状弾性部材及び前記クッションカバー部の後部と共に挿入され、前記帯状弾性部材の弾性により、前記第１支持プレートが前記シートバック部の前面方向に押し付けられ、前記第２支持プレートが前記シートバック部の下面方向に押し付けられる構成とすることが好ましい。【００１２】  前記クッションカバー部は、前部が、前記シートクッション部の前面部の少なくとも一部を覆って配設されることが好ましい。  前記バックカバー部は、その上部の位置が、骨盤上部対応部から胸部中央対応部までの範囲となる大きさで形成されていることが好ましい。【００１３】  前記第１支持プレートの幅が、前記シートバック部の両側において前方に膨出する２つのサイドサポート間の範囲内であることが好ましい。  前記第１支持プレート及び前記第２支持プレートが合成樹脂製の板状部材であることが好ましい。【００１４】  前記取り付け手段は、前記クッションカバー部に連結され、前記シートクッション部又は前記シートバック部に掛け回され、前記シートクッション部とシートバック部との境界の間隙に挿入される前記第２支持プレートに接続される前記クッションカバー部用の補助固定部材を有する構成であることが好ましい。  前記取り付け手段は、前記バックカバー部に連結され、前記シートバック部の裏面側に掛け回される前記バックカバー部用の補助固定部材を有する構成であることが好ましい。  少なくとも前記バックカバー部が三次元立体編物から構成されていることが好ましい。
【発明の効果】
【００１５】  本発明のシートカバーは、クッションカバー部の後部とバックカバー部の下部とが、被覆対象のシートのシートクッション部とシートバック部の境界部付近に、帯状弾性部材を有する取り付け手段を介して接続されている。帯状弾性部材を介して接続されていることにより、クッションカバー部の後部及びバックカバー部の下部は、シートクッション部に固定されるクッションカバー部の前部寄り及びシートバック部に固定されるバックカバー部の上部寄りの各部位より、相対的に取り付け時における剛性が低くなる。そのため、臀部から腰部にかけての運動性が高まり、体動への追従性に優れ、走行中における路面及び車体から伝達される振動の吸収特性も向上する。また、降車時（離席時）に位置ずれが生じた場合でも、帯状弾性部材の復元力によって速やかに所定の位置に復元するため、再び乗車した際には速やかにシートカバー上に着席できる。その結果、シートカバーの有する上記の体動追従性、振動吸収特性といった特性を効果的に発揮できる。【００１６】  また、クッションカバー部と、バックカバー部とを有する一方、バックカバー部の上部の位置が、骨盤上部対応部から胸部中央対応部までの範囲とすることにより、従来のヘッドレストの下部付近まで被覆するシートカバーと比較して、シートバック部における被覆範囲の高さを低くすることが好ましい。これにより、バックカバー部を形成するために使用する素材量を従来と比較して低減することができ、二次元の布帛と比較し、摩擦に対する耐久性の高いより高価な素材を使用しても、コストの上昇を抑制できる。従って、例えば、薄くても所定の弾性を有し、摩擦に対して高い耐久性を発揮できる三次元立体編物を用いても、低コストで製造でき、乗降頻度の高い宅配車のシート用として適している。  また、取り付け手段の帯状弾性部材は、バックカバー部をシートバック部の前面に押し付けると共に、クッションカバー部の後部をシートバック部の下面に押し付ける。従って、取り付け作業が容易であり、宅配業者の保有する多数の車両への取り付け、交換作業も迅速に行うことができる。
【図面の簡単な説明】
【００１７】
【図１】図１は、本発明の一の実施形態に係るシートカバーの平面図である。
【図２】図２は、図１のＡ−Ａ線断面図である。
【図３】図３（ａ）は、図１のＢ−Ｂ線断面図であり、図３（ｂ）は、図１のＣ−Ｃ線断面図で有り、図３（ｃ）は、図１のＤ−Ｄ線断面図である。
【図４】図４（ａ）は、上記実施形態のシートカバーをシートに取り付けた状態を示す正面図であり、図４（ｂ）は、図４（ａ）の側面図である。
【図５】図５は、シートカバーが取り付けられたシートの要部を示す縦断面図である。
【図６】図６は、シートカバーが取り付けられたシートクッション部を略水平な面で切断した断面図である。
【図７】図７は、シートカバーが取り付けられたシートバック部の横断面図である。
【図８】図８（ａ）は、シートに取り付けた状態のシートカバーの正面方向から撮影したデジタル写真画像であり、図８（ｂ）は、シートに取り付けた状態のシートカバーの側面方向から撮影したデジタル写真画像である。
【図９】図９（ａ）は、シートに取り付けた状態のシートカバーの背面方向から撮影したデジタル写真画像であり、図９（ｂ）は、シートから取り付けていない状態において、第１支持プレート、第２支持プレート及び帯状弾性部材を含む取り付け手段を背面方向から撮影したデジタル写真画像である。
【図１０】図１０は、上記実施形態で用いた三次元立体編物の一例を示す断面図である。
【図１１】図１１は、三次元立体編物の一方のグランド編地を示した平面図である。
【図１２】図１２は、三次元立体編物の他方のグランド編地を示した平面図である。
【図１３】図１３（ａ）は、第１支持プレートの荷重−たわみ特性を示し、図１３（ｂ）は、その測定方法を説明するための図である。
【発明を実施するための形態】
【００１８】  以下、図面に示した実施形態に基づき本発明をさらに詳細に説明する。図１は、本実施形態のシートカバー１を示す平面図であり、図２及び図３（ａ）〜（ｃ）は、図１に示したシートカバー１の各切断線に沿った断面図である。図４（ａ）〜（ｂ）は、シート１０００にシートカバー１を装着した状態を示し、図５〜図７は、図４（ａ）〜（ｂ）に示した各切断線に沿った断面図である。また、図８及び図９は、本実施形態のシートカバー１のデジタル写真画像でる。これらの図に示したように、本実施形態のシートカバー１は、クッションカバー部１０、バックカバー部２０及び取り付け手段３０を有して構成されている。
【００１９】  クッションカバー部１０及びバックカバー部２０を構成する素材としては、本実施形態では、いずれも特許文献３や特許文献４等に開示されている三次元立体編物１００が採用される。具体的には、三次元立体編物１００は、図１０〜図１２に示したように、互いに離間して配設された一対のグランド編地１１０，１２０と、この一対のグランド編地１１０，１２０の間を往復して両者を結合する多数の連結糸１３０と、によって構成されている。
【００２０】  一方のグランド編地１１０は、例えば、図１１に示すように、短繊維を撚った糸から、ウェール方向及びコース方向の何れの方向にも連続したフラットな編地組織によってメッシュを形成したものを用いる。また、他方のグランド編地１２０は、例えば図１２に示すように、短繊維を撚った糸からハニカム状のメッシュを形成している。また、他方のグランド編地１２０は、一方のグランド編地１１０よりも大きな網目としている。なお、これらはあくまで一例であり、グランド編地１１０，１２０としては、細め組織やハニカム状に限らず、これ以外の編地組織を用いたものであっても良い。
【００２１】  図１０に示すように、連結糸１３０は、一方のグランド編地１１０と他方のグランド編地１２０が所定の間隔を保持するようにグランド編地１１０，１２０の間に編み込まれる。これにより、三次元立体編物１００に所定の剛性が付与される。
【００２２】  三次元立体編物１００は、グランド編地１１０，１２０を形成するグランド糸の太さ等によって、必要な腰の強さを具備させることができるが、グランド糸は、編成作業が困難とならない範囲のものが選択されることが好ましい。また、グランド糸としては、モノフィラメント糸を用いることができるが、風合いや表面感触の柔らかさ等を考慮して、マルチフィラメント糸やスパン糸を用いても良い。連結糸１３０としては、適度な復元力を得るために、モノフィラメント糸を用いることが好ましく、太さは、１６７デシテックス〜１１１０デシテックスの範囲のものが好ましい。
【００２３】  グランド糸及び連結糸１３０の素材としては、特に限定するものではなく、例えば、ポリプロピレン、ポリエステル、ポリアミド、ポリアクリロニトリル、レーヨン等の合成繊維や再生繊維、ウール、絹、綿等の天然繊維が挙げられる。これらの素材は、単独で用いても良く、任意の組み合わせで併用することもできる。好ましくは、ポリエチレンテレフタレート（ＰＥＴ）、ポリブチレンテレフタレート（ＰＢＴ）などに代表される熱可塑性ポリエステル系繊維、ナイロン６、ナイロン６６などに代表されるポリアミド系繊維、あるいはこれらの繊維を２種類以上組み合わせたものである。
【００２４】  また、グランド糸及び連結糸１３０の糸形状も限定されるものではなく、丸断面糸や異形断面糸等を用いても良い。また、連結糸１３０は、各グランド編地１１０，１２０間に、略垂直に延びるように編み込んだり、中途で略Ｘ字状にクロスするように編み込んだり、あるいは、これらの編み込みを複数本ずつまとめて行ったりするなどして配設することができる。
【００２５】  三次元立体編物１００は、シートカバー１上に着座した乗員の荷重を、グランド編地１１０，１２０を形成する網目の変形と共に、連結糸１３０の倒れや座屈による変形、また、変形した連結糸１３０にばね特性を付与する隣接した連結糸の復元力によって支持することができ、柔らかなばね特性を有して応力集中の起きない柔構造とすることができ、体動への追従性が高い。このため、乗員の乗降によって荷重が繰り返し付加されても、へたりにくく、また、グランド編地１１０，１２０や連結糸１３０の剛性により、摩擦による破れにも強い。よって、宅配車のシートのように荷重が繰り返し付与され、損傷しやすいシートカバー１の素材として適している。三次元立体編物１００以外の立体織物、立体不織布等でも可能であるが、グランド編地１１０，１２０及び連結糸１３０の復元力により、ハンディーターミナルを付けたまま着座した際の異物感を効率的に吸収でき、また、特許文献３、４にも記載のように、振動吸収特性も優れることから、三次元立体編物１００を用いることが好ましい。
【００２６】  クッションカバー部１０は、装着対象のシート１０００のシートクッション部１１００の表面のうち少なくとも上面部１１０１全体を被覆可能な大きさを有している（図４（ａ），（ｂ）、図５、図８（ａ），（ｂ）参照）。本実施形態では、図４（ａ），（ｂ）、図５、図８（ａ），（ｂ）に示したように、シートクッション部１１００の上面部１１０１を被覆すると共に、周縁部１１が、上面部１１０１の範囲を越えてやや下方に至る位置まで、すなわち、周縁部１１のうちの前部１１ａがシートクッション部１１００の前面部１１０２の少なくとも一部を覆い、周縁部１１のうちの側部１１ｂがシートクッション部１１００の各側面部１１０３，１１０３の少なくとも一部を覆う大きさを有している。また、クッションカバー部１０の後部１５は、図５及び図８（ａ），（ｂ）に示したように、シートバック部１２００付近に位置するような大きさを有している。宅配車の乗員は、上記のように乗降頻度が高く、シートクッション部１１００のドア側の側面部１１０３付近と前面部１１０２付近が損傷しやすい。従って、クッションカバー部１０は、本実施形態のように、シートクッション部１１００の前面部１１０２及び各側面部１１０３，１１０３のうち、少なくとも上面部１１０１との境界付近を若干乗り越えた範囲に至るまで被覆可能な大きさであることが好ましい。
【００２７】  バックカバー部２０は、図７及び図８（ａ）に示したように、シートバック部１２００の表面のうち前面１２０１の幅とほぼ同じ幅を有している。本実施形態では、前面１２０１の幅よりも若干広めに形成しており、シートバック部１２００の各側面部１２０３，１２０３の範囲も一部被覆可能となっている。バックカバー部２０のシートバック部１２００の上下方向に沿った長さは、図５に示したように、下部２１をシートクッション部１１００とシートバック部１２００との境界位置付近に位置させた際に、上部２２が、シートバック部１２００における骨盤上部対応部から胸部中央対応部までの範囲に位置する長さとなっていることが好ましい。骨盤上部対応部から胸部中央対応部までの範囲である上部２２の位置は、具体的には、シートバック部１２００の前面１２０１の直下に位置するシートクッション部１１００の上面部１１０１のポイント（図５のＰ点）を基準として、シートバック部１２００の前面１２０１に沿って上方に、好ましくは１００〜３５０ｍｍの範囲であり、より好ましくは１５０〜３００ｍｍの範囲である。
【００２８】  上記のように、宅配業者の多くの作業員は、ハンディーターミナルを腰付近に取り付けていることから、宅配車のシートに着座した際に、骨盤部後方付近が最も損傷しやすい。従って、この損傷しやすい範囲のみをバックカバー部２０で被覆する構成とすれば、バックカバー部２０として三次元立体編物１００等、一般的な二次元の布材と比較した場合に、高機能で単価の高いものであっても、三次元立体編物１００等の使用量を必要最小限に抑えることができ、シートカバー１の低コストでの提供を可能にする。
【００２９】  取り付け手段３０は、クッションカバー部１０の後部とバックカバー部２０の下部とを接続し、シートクッション部１１００とシートバック部１２００の境界部付近に配設される帯状弾性部材３１２０を有して構成されている。取り付け手段３０の帯状弾性部材３１２０には、バックカバー部２０及びクッションカバー部１０の両方が接合されているため、その弾性力により、バックカバー部２０がシートバック部１２００の前面１２０１に押し付けられると、クッションカバー部１０も所定の取り付け位置に位置決めされる。従って、バックカバー部２０及びクッションカバー部１０の取り付け作業が容易で、短時間で取り付け可能である。
【００３０】  取り付け手段３０は、より具体的には、上記の帯状弾性部材３１２０に加え、第１支持プレート３２を有している（図２、図３、図４及び図９（ｂ）参照）。第１支持プレート３２は、バックカバー部２０の裏面側に縫製等により固定される。第１支持プレート３２の素材は限定されるものではないが、本実施形態ではポリプロピレン製の板状部材を用いている。なお、着座者がバックカバー部２０に背を押し付けた際に、当該第１支持プレート３２を異物感として感じさせない程度の可撓性を有することが好ましい。所定の可撓性を備えさせるために厚さ０．８〜１．２ｍｍ程度で、当該板状部材の試験片を、図１３（ａ），（ｂ）に示したように、１５０ｍｍの間隔をおいて配置した支持部材上に掛け渡し、その中央部に中心を合わせて直径９８ｍｍの加圧板で５０ｍｍ／ｍｉｎで加圧した際の荷重−たわみ特性が、０．４〜０．５Ｎ／ｍｍの範囲（平均０．４５Ｎ／ｍｍ）のものが好ましい。大きさは、バックカバー部２０の外形とほぼ同じか、それよりも若干小さい程度で形成される。形状も限定されるものではなく、略楕円形等であってもよいが、本実施形態では略方形に形成されている。
【００３１】  また、第１支持プレート３２の幅は、シートバック部１２００の両側部付近において前方に膨出するサイドサポート部１２０１ａ，１２０１ａの間に収まる程度とすることが好ましい。帯状弾性部材３１２０の弾性力により第１支持プレート３２がシートバック部１２００の前面１２０１に押し付けられた際、左右のサイドサポート部１２０１ａ，１２０１ａに重ならない幅とすることにより、前面１２０１のうちサイドサポート部１２０１ａ，１２０１ａ間に位置する中央範囲１２０１ｂへの第１支持プレート３２の密着性が高まる（図７参照）。
【００３２】  このように、帯状弾性部材３１２０は、第１支持プレート３２の上部３２ａをシートバック部１２００の前面１２０１（特に中央範囲１２０１ｂ）に押し付けて位置決めする。それにより、バックカバー部２０の前方への浮き上がりが抑制され、着座者の背への異物感の軽減に寄与する。
【００３３】  取り付け手段３０は、また、第２支持プレート３１１０を有している。第２支持プレート３１１０は、バックカバー部２０とクッションカバー部１０とを接合する。具体的には、図２及び図５に示したように、まず、第２支持プレート３１１０の一端部３１１１は、第１支持プレート３２の下部３２ｂ及びバックカバー部２０の下部２１の少なくとも一方に、本実施形態では両方に重ね合わせられ、それら３枚を重ね合わせた状態で第１布部材３３１により被覆して、縫製により一体化されている。第２支持プレート３１１０の他端部３１１２は、クッションカバー部１０の後部１５に接続されるが、本実施形態では、後部１５に、不織布等から形成される後部延長布１５１を縫い継いで後方に延在させ、その後方端縁１５１ａに縫製により接合している。後部延長布１５１を縫い継いだのは、シートバック部１２００とシートクッション部１１００との境界部に位置する間隙１３００への挿入性を考慮してクッションカバー部１０を構成する三次元立体編物１００よりも薄手の布帛を採用したためであるが、後部延長布１５１を縫い継ぐことなく、三次元立体編物１００からなるクッションカバー部１０の後部１５の長さを後方に伸ばしてシートバック部１２００とシートクッション部１１００との間隙１３００に挿入する構成とすることももちろん可能である。その場合には、後部１５の端縁に第２支持プレート３１１０の他端部３１１２が直接接合される。なお、第２支持プレート３１１０の素材や好ましい特性は上記の第１支持プレート３２と同様である。
【００３４】  帯状弾性部材３１２０は、所定の弾性力を有する素材、例えばゴムバンドからなり、幅が例えば１０〜１５０ｍｍの範囲で、所定の長さを有している（図９（ｂ）参照）。長さ方向の一端部３１２１は、バックカバー部２０又は第１支持プレート３２のいずれかの部位に連結される。本実施形態では、一端部３１２１をバックカバー部２０の上部２２及び第１支持プレート３２の上部３２ａに重ね合わせ、それらをまとめて第２布部材３３２により被覆して縫製により一体化している。長さ方向の他端部３１２２は、第２支持プレート３１１０の他端部３１１２に縫製により接合されている。本実施形態では、クッションカバー部１０から後方に延びる後部延長布１５１の後方端縁１５１ａもまとめて縫製により一体化している。
【００３５】  帯状弾性部材３１２０の長さは、第１支持プレート３２と第２支持プレート３１１０とを両者の接合部である第１支持プレート３２の下部３２ｂと第２支持プレート３１１０の一端部３１１１とを中心として折り曲げずに直線状に配置した際の、第１支持プレート３２の上部３２ａ及び第２支持プレート３１１０の他端部３１１２間の距離（図２のＬ１）よりも短い長さのものが用いられる。これにより、帯状弾性部材３１２０の一端部３１２１を第１支持プレート３２の上部３２ａに連結し、他端部３１２２を第２支持プレート３１１０の他端部３１１２に連結した場合には、上記の下部３２ｂと一端部３１１１とを中心として、第１支持プレート３２及び第２支持プレート３１１０を折り曲げ方向に接近させる弾性復元力が作用する。
【００３６】  従って、第２支持プレート３１１０をシートバック部１２００とシートクッション部１１００との間隙１３００に挿入した際には、第１支持プレート３２が第２支持プレート３１１０に接近する方向に付勢されるため、第１支持プレート３２及び該第１支持プレート３２に連結されたバックカバー部２０は、シートバック部１２００の前面１２０１に押し付けられることになる。これによりバックカバー部２０の取り付け位置が決まる。また、同時に、第２支持プレート３１１０の他端部３１１２がシートバック部１２００の下面１２０４に押し付けられる。これにより、クッションカバー部１０の後部１５（本実施形態では、後部延長布１５１も「クッションカバー部１０の後部１５」に含む）が第２支持プレート３１１０と共にシートバック部１２００の下面に押し付けられる。その結果、第２支持プレート３１１０をシートバック部１２００とシートクッション部１１００との間隙１３００に挿入するだけで、バックカバー部２０の取り付け位置が決まり、同時に、クッションカバー部１０の後部１５の取り付け位置が決まる。
【００３７】  ここで、クッションカバー部１０の周縁部１１の外側には不織布等から構成される取り付け用布３４１が縫い継がれている。取り付け用布３４１は、シートクッション部１１００の前面部１１０２に対応する範囲から各側面部１１０３，１１０３に対応する範囲まで設けられており、各側面部１１０３，１１０３に対応する範囲の各後部には、後方に延びるゴムバンド３４２，３４３の一端が接続され、さらに、各ゴムバンド３４２，３４３の他端間には接続用布部材３４４を介して接続されている（図６及び図９（ａ），（ｂ）参照）。この接続用布部材３４４は、本実施形態のように、シートバック部１２００とシートクッション部１１００との間隙１３００に挿入される第２支持プレート３１１０に接続されることが好ましい。
【００３８】  第２支持プレート３１１０との接続手段は任意であり、第２支持プレート３１１０がシートバック部１２００とシートクッション部１１００との間隙１３００から後方に突出していれば、該第２支持プレート３１１０に直接接続することも可能であるが、本実施形態では、図５及び図６に示したように、第２支持プレート３１１０の他端部３１１２がクッションカバー部１０の後部延長布１５１に接続されているため、該後部延長布１５１の後方端縁１５１ａに、接続用延長布３１１５を縫い継ぎ、この接続用延長布３１１５をシートバック部１２００とシートクッション部１１００との間隙１３００から後方に引き出して間接的に第２支持プレート３１１０に接続する構成としている。後方に引き出した接続用延長布３１１５と接続用布部材３４４との間に面ファスナー３４５を設け、両者を接続する。これにより、クッションカバー部１０は、安定的にシートクッション部１１００の上面部１１０１、前面部１１０２，及び各側面部１１０３，１１０３を被覆する。本実施形態では、上記した取り付け用布３４１、ゴムバンド３４２，３４３、接続用布部材３４４及び面ファスナー３４５により、クッションカバー部用の補助固定部材３４０が構成される。
【００３９】  また、バックカバー部２０の幅方向各側縁部２０ａ，２０ｂには、それぞれ、不織布等から構成される固定用延長布３５１，３５２が縫い継がれている。本実施形態では、一方の固定用延長布３５１は、複数の布を縫い継ぎ、シートバック部１２００の一方の側面部１２０３からシートバック部１２００の裏面に掛け回されて他方の側面部１２０３側に至る長さを有しており、この他方の側面部１２０３側において、他方の固定用延長布３５２と面ファスナー３５３を介して接続される（図１、図３（ａ）、図７、図８（ｂ）参照）。これにより、バックカバー部２０が安定的にシートバック部１２００に固定される。本実施形態では、この固定用延長布３５１，３５２及び面ファスナー３５３により、バックカバー部用の補助固定部材３５０が構成される。
【００４０】  本実施形態によれば、腰付近にハンディーターミナルを携行したり、尻ポケットに物を入れたりすることにより、摩耗等による損傷が生じやすい範囲、すなわち、シートバック部１２００において、シートクッション部１１００の上面部１１０１からシートバック部１２００の前面１２０１に沿って骨盤上部対応部（背骨の第４腰椎付近）に至るまでの範囲、あるいは、シートクッション部１１００の上面部１１０１からシートバック部１２００の前面１２０１に沿って胸部中央対応部（背骨の第９胸椎付近）に至るまでの範囲に限ってバックカバー部２０を設けている。すなわち、バックカバー部２０は、その上部２２が、骨盤上部対応部（背骨の第４腰椎付近）以上胸部中央対応部（背骨の第９胸椎付近）以下の範囲となる大きさで形成されている。そのため、バックカバー部２０を構成する素材の使用量を必要最小限とすることができ、バックカバー部２０を構成する素材として、摩耗等による損傷が生じにくい三次元立体編物１００等を使用しても、シートカバー１を低コストで製造できる。
【００４１】  また、バックカバー部２０は、このように上部２２の位置が限定され、シートバック部１２００の上下方向の全長の略半分以下であるため、取り付け手段３０を構成する押圧部３１に用いた帯状弾性部材３１２０の弾性復元力により容易に、シートバック部１２００の前面１２０１に密着できる。しかも、帯状弾性部材３１２０は、バックカバー部２０の裏面に設けられる第１支持プレート３２と、クッションカバー部１０に接続される第２支持プレート３１１０とを接近方向に付勢しており、両者を離間させて第２支持プレート３１１０をシートバック部１２００及びシートクッション部１１００との境界部の間隙１３００に挿入した際には、上記のようにバックカバー部２０をシートバック部１２００の前面１２０１に押し付け、同時に、第２支持プレート３１１０をシートバック部１２００の下面１２０４に押し付ける。
【００４２】  従って、第１支持プレート３２をシートバック部１２００の前面１２０１に当接可能に位置させ、かつ、第２支持プレート３１１０をシートバック部１２００及びシートクッション部１１００との境界部の間隙１３００に挿入すれば、バックカバー部２０及びクッションカバー部１０の後部１５（後部延長布１５１を含む）の取り付け位置を、同時にかつ容易に決めることができる。なお、この際、クッションカバー部１０は、シートクッション部１１００の前面部１１０２、各側面部１１０３，１１０３の一部を上方から覆うように被せておく。
【００４３】  その後は、クッションカバー部用の補助固定部材３４０の接続用布部材３４４を、シートクッション部１１００の後ろ側に回し、面ファスナー３４５を介して接続用延長布３１１５に接合すれば、クッションカバー部１０が安定的に取り付けられる。同様に、バックカバー部用の補助固定部材３５０の固定用延長布３５１，３５２をシートバック部１２００の後ろ側に回し、両者を面ファスナー３５３を介して接合すれば、バックカバー部２０が安定的に取り付けられる。
【００４４】  一方、取り外す際には、クッションカバー部用の補助固定部材３４０の接続用布部材３４４と接続用延長布３１１５との面ファスナー３４５による接合を解除すると共に、バックカバー部用の補助固定部材３５０の固定用延長布３５１，３５２同士の面ファスナー３５３による接合を解除し、しかる後、クッションカバー部１０の後部１５に含まれる後部延長布１５１と共に、第２支持プレート３１１０を前方に引き抜けば、容易に取り外すことができる。従って、シートカバー１の迅速な取り付け、取り外しが可能であり、特に、乗降頻度の高い宅配車を多数保有する宅配業者においては、シートカバー１の交換作業を容易化し、シート１０００自体の交換頻度を低減できるため、メンテナンス作業、メンテナンスコストの大幅な低減に寄与できる。
【００４５】  また、上記のように、クッションカバー部１０の前部１１ａは、シートクッション部１１００の前面部１１０２の少なくとも一部を覆い、側部１１ｂは、シートクッション部１１００の各側面部１１０３，１１０３の少なくとも一部を覆うように配設されている。その一方、クッションカバー部１０の後部１５（後部延長布１５１を含む）は、第２支持プレート３１１０と共に、帯状弾性部材３１２０に接続されて、シートバック部１２００とシートクッション部１１００との間隙１３００に挿入されている。そのため、クッションカバー部１０は、シートクッション部１１００に装着した状態では、前部１１ａ寄りほど動きにくく、後部１５寄りほど動きやすく、帯状弾性部材３１２０の弾性復元力が作用しやすい。換言すれば、クッションカバー部１０は、前部１１ａ寄りほど剛性が高く、後部１５寄りほど剛性が低くなるように配設されている。
【００４６】  また、バックカバー部２０は、その上部２２に第１支持プレート３２の上部３２ａが一体化され、帯状弾性部材３１２０の弾性力によりシートバック部１２００の前面１２０１に押し付けられて位置決めされると共に、固定用延長布３５１，３５２を用いてシートバック部１２００に掛け回して固定される。その一方、第２支持プレート３１１０の一端部３１１１が、第１支持プレート３２の下部３２ｂ及びバックカバー部２０の下部２１に接合され、第２支持プレート３１１０がシートバック部１２００とシートクッション部１１００との間隙１３００に挿入されてクッションカバー部１０の後部１５（後部延長布１５１）と共に、帯状弾性部材３１２０に接続されている。従って、バックカバー部２０は、上部２２及び下部２１のいずれも帯状弾性部材３１２０に接続されているが、固定用延長布３５１，３５２の下方に位置する下部２１の方がシートバック部１２００への拘束力が小さく、シート１０００の幅方向への動きが生じやすい。そのため、シートバック部１２００に装着した状態では、バックカバー部２０は、上部２２よりも下部２１の方が低い剛性で取り付けられていると言える。
【００４７】  従って、クッションカバー部１０の後部１５及びバックカバー部２０の下部２１は、取り付けた際の剛性が低いため、シート１０００の幅方向への動きが生じやすい。その一方、これらにはいずれも帯状弾性部材３１２０の弾性復元力が作用するため、乗降時に位置ずれが生じても速やかに所定の位置に復元され、乗員は、シートカバー１がシート１０００に対して適切な位置にセットされている状態で着座できる。それにより、走行中の体動に対しても、帯状弾性部材３１２０の弾性復元力により速やかに追従できると共に、路面及び車体から伝達される振動の吸収特性も向上する。特に、本実施形態のように、クッションカバー部１０及びバックカバー部２０の素材として三次元立体編物１００を用いることにより、体動追従性や振動吸収性をより向上させた構成とすることができる。
【符号の説明】
【００４８】  １  シートカバー  １０  クッションカバー部  １５  後部  １５１  後部延長布  ２０  バックカバー部  ３０  取り付け手段  ３２  第１支持プレート  ３１１０  第２支持プレート  ３１２０  帯状弾性部材  １００  三次元立体編物  ３４０  クッションカバー部用の補助固定部材  ３５０  バックカバー部用の補助固定部材  １０００  シート  １１００  シートクッション部  １２００  シートバック部
【図１】
2020031982.tif 000003
【図２】
2020031982.tif 000004
【図３】
2020031982.tif 000005
【図４】
2020031982.tif 000006
【図５】
2020031982.tif 000007
【図６】
2020031982.tif 000008
【図７】
2020031982.tif 000009
【図８】
2020031982.tif 000010
【図９】
2020031982.tif 000011
【図１０】
2020031982.tif 000012
【図１１】
2020031982.tif 000013
【図１２】
2020031982.tif 000014
【図１３】
2020031982.tif 000015
【国際調査報告】
2020031982.tif 000016
2020031982.tif 000017
2020031982.tif 000018
2020031982.tif 000019